(57)【要約】 【課題】陳列物に関する表示情報を補足したり、理解を深めたりする案内情報、を該陳列物の取り出しと連動してタイムリーに表示することができない点を解消する。【解決手段】案内情報表示機構１は、陳列物Ｐを取り出し可能に収納した収納部３を複数設けた陳列棚４に、別体又は一体に、案内情報を表示する表示部２と、陳列物Ｐを該収納部３から取り出したことを検知するセンサ５と、このセンサ５の検知信号に基づいて陳列物Ｐと関連付けられた案内情報が表示部２に表示されるよう切り替える切替部７と、を設けている。【効果】陳列物を収納部から取り出すという動作だけで、その陳列物に関連した案内情報がタイムリーに表示されるから、理解を深めることができると共に宣伝効果を高めることができる。【選択図】  図１
2009128447.tif 000002
【特許請求の範囲】
【請求項１】
陳列物を取り出し可能に収納した収納部を複数設けた陳列棚に、別体又は一体に、案内情報を表示する表示手段と、陳列物を該収納部から取り出したことを検知する検知手段と、この検知手段の検知信号に基づいて陳列物と関連付けられた案内情報が前記表示手段に表示されるよう切り替える切替手段と、を設けることを特徴とする案内情報表示機構。
【請求項２】
陳列棚に識別手段を設け、陳列物に識別情報を有する場合であって該陳列物の識別情報を前記識別手段が識別した時に、この識別信号に基づいて識別した内容と関連付けられた案内情報が表示手段に表示されるよう切替手段により案内情報を切り替えることを特徴とする請求項１記載の案内情報表示機構。
【請求項３】
陳列棚に、次の一方又は両方、すなわち案内情報を蓄積して切替手段と接続された記憶部、インターネット網を介したサーバーに接続されると共に切替手段に接続されて該切替手段より該サーバーから案内情報を入手するオンライン部、を備えたことを特徴とする請求項１又は２記載の案内情報表示機構。
【請求項４】
陳列棚において、収納部の陳列物の取り出し口の近傍に検知手段を設けることを特徴とする請求項１〜３のいずれかに記載の案内情報表示機構。
【請求項５】
陳列物を取り出し可能に収納した収納部を複数設けた陳列棚に、案内情報を表示する表示手段と、陳列物を該収納部から取り出したことを検知する検知手段と、この検知手段の検知信号に基づいて陳列物と関連付けられた案内情報が前記表示手段に表示されるよう切り替える切替手段と、を有した案内情報表示機構の案内情報表示方法であって、陳列物が前記収納部から取り出された時には、前記切替手段が、陳列物が収納部から取り出されるまで予め定められた順番などで表示されていた状態から、取り出されたその陳列物に関連付けられた案内情報へ優先的に切り替えることを特徴とする案内情報表示方法。
【請求項６】
陳列棚に識別手段を設け、陳列物に識別情報を有する場合であって、切替手段が、該陳列物の識別情報を前記識別手段により識別した時には、識別信号に基づいて識別した内容に関連付けられた案内情報へ優先的に切り替えることを特徴とする請求項５記載の案内情報表示方法。
【発明の詳細な説明】
【技術分野】
【０００１】
本発明は、カタログ、パンフレット、クーポン等の印刷物、商品見本や、販売商品（以下、これらを総称して「陳列物」という、定義詳細は後述）に関する表示情報を補足するような内容、理解を深めるような内容、を陳列物の取り出しと連動してタイムリーに表示する案内情報表示機構及び案内情報表示方法に関するものである。
【背景技術】
【０００２】
以下の特許文献１には、広告装置の表面に、区画された２以上の広告表示面が平面状に並べられ、各広告表示面の裏側にカタログやパンフレット（以下、総称してパンフレット等という）を収納・取り出しが可能とされた収納部が設けられ、また、前記広告装置と一体又は別体に映像表示部を設けた、複合広告装置が開示されている。
【特許文献１】特開平６−８９０７６号公報
【発明の開示】
【発明が解決しようとする課題】
【０００３】
しかしながら、上記特許文献１に開示されたものは、開閉自在とされた収納部を複数備えた広告装置に、映像表示部が設けられるだけであり、映像表示部と広告装置との組み合わせによって、通行者の興味や注意を惹きやすくできるのは物理的な存在だけであった。
【０００４】
つまり、特許文献１に開示されたものは、収納部から取り出されるパンフレット等と映像表示部で映し出される映像との関連性が一切なく、特にパンフレット等の記載を補足するような内容、理解を深めるような内容、をパンフレット等の取り出しと連動してタイムリーに表示するといったことができなかった。
【０００５】
本発明が解決しようとする課題は、特許文献１に開示されたものでは、収納部に陳列された陳列物に関する表示情報を補足するような内容、理解を深めるような内容、を陳列物の取り出しと連動してタイムリーに表示する記載を補足したり、理解を深めたりすることができない点である。
【課題を解決するための手段】
【０００６】
上記課題を解決するために、本発明の案内情報表示機構は、陳列物を取り出し可能に収納した収納部を複数設けた陳列棚に、別体又は一体に、案内情報を表示する表示手段と、陳列物を該収納部から取り出したことを検知する検知手段と、この検知手段の検知信号に基づいて陳列物と関連付けられた案内情報が前記表示手段に表示されるよう切り替える切替手段と、を設けたのである。
【０００７】
また、本発明の案内情報表示方法は、上記本発明の案内情報表示機構を用いて、陳列物が収納部から取り出された時には、切替手段が、陳列物が収納部から取り出されるまで予め定められた順番などで表示されていた状態から、取り出されたその陳列物に関連付けられた案内情報へ優先的に切り替えるものである。
【発明の効果】
【０００８】
本発明において、「陳列物」とは、例えばパンフレット、リーフレット、カタログ、クーポンなど頒布用の印刷物、例えば携帯電話、化粧品、音楽ＣＤ、ＤＶＤなどの販売商品、販売商品の商品見本、といったように、陳列棚に収納部に収納された状態で陳列される一切を含むこととする。
【０００９】
さらに、本発明において、「案内情報」とは、表示手段に表示される、音声を有する又は有しない、静止画又は動画といった映像、文字、など全てを含むこととし、表現手法を限定せず、また、その内容は、陳列物の記載に関連した、内容に関する情報、次期提供予定の商品等の告知情報、既存提供商品等の販売促進情報、陳列物を提供している団体の情報、の一切を含むこととし、内容自体を限定しないこととする。
【００１０】
上記構成とされた本発明に係る案内情報表示機構は、陳列物を取り出したことを検知手段により検知して、この検知信号に基づいて切替手段が取り出された該陳列物と関連付けられた案内情報を表示手段に表示されるよう切り替えるので、陳列物と連動して、該陳列物に関する表示情報を補足したり、理解を深めるといったような内容をタイムリーに表示させることができる。
【００１１】
つまり、従来では、陳列物を収納部から取り出すという積極的行動を取った者に対して、その取り出した陳列物に表示された限定的な情報を超えた情報をさらにアピールすることができ、よって陳列物のみより遙かに宣伝（プロモーション）効果の例えば高い映像や音でアピールできるから、案内情報の提供効果が極めて高い。
【００１２】
また、説明すべき人材が不足しているような状況下であっても、本発明に係る案内情報表示機構を設置することで、陳列物を取り出せば、タイムリーにその陳列物に関連した案内情報を陳列物と共に紹介できるから、説明要員の削減が図られると共に、確実な案内情報の説明が可能となる。さらに、身体的に障害を抱える者であっても案内情報を収集しやすくなる。
【００１３】
さらに、陳列物を取り出すという行動を越えて、より詳しい情報を収集したいと考える者に対しては、識別部に例えばＩＣタグのような識別情報を近づけることによって、より詳しい情報を提供することが可能であり、利用者の関心の度合いに応じたきめ細やかな案内情報の提供が可能となる。
【発明を実施するための最良の形態】
【００１４】
本発明は、図１及び図２に示す以下の形態により実施可能である。本形態における案内情報表示機構１は、例えば表示部２（表示手段）他の後述する構成を、陳列物Ｐとして本形態では例えばパンフレットを取り出し可能に収納した収納部３が複数設けられた陳列棚４に一体に有した態様で説明する。
【００１５】
本形態においては、表示部２として通常のモニターディスプレイを採用しており、陳列棚４の上部の開口に画面が陳列物Ｐの収納部３側に表示されるように嵌め込んでいる。そして表示部２に備えた端子接続部２Ａと後述する記憶部８の端子接続部８Ａとの間を配線する。
【００１６】
収納部３は、例えば本形態では、陳列棚４の表面に縦方向と横方向に複数設けられており、縦方向の上２段と下２段とでは大きさの異なる陳列物Ｐが収納できるサイズに構成されると共に、本形態では例えば上部に開口が形成され、この開口から陳列物Ｐを収納したり取り出したりする構成とされている。
【００１７】
陳列棚４は、本形態では例えば下部に、収納部３を複数設けた面と直交する方向に台座４Ａが設けられており、この台座４Ａの下面の４隅に、移動用の車輪４Ｂが設けられている。こうすれば、必要な場所に容易に移動させることが可能となる。
【００１８】
陳列棚４の収納部３を設けた面において、各収納部３の開口の近傍、詳細には開口の直上で収納された陳列物Ｐが覆わない位置に、該収納部３から陳列物Ｐを取り出したことを検知するセンサ５（検知手段）がそれぞれ設けられている。
【００１９】
このセンサ５は、例えば、いわゆる動体センサ、本形態では例えば３ｃｍ〜３ｍに設定した範囲内で送信超音波が反射され、反射波を受信したときにオンとなる超音波距離センサを用いている。なお、検知手段として動体センサを採用した理由と、これを設けた位置の理由は後述する。
【００２０】
また、陳列棚４の表面で、例えば表示部２の近傍には、識別部６（識別手段）が設けられている。この識別部６は、無線型識別素子いわゆるＲＦＩＤ（Radio Frequency IDentification）が採用され、陳列物Ｐに、該識別部６で読み取って識別可能な例えば非接触のＩＣタグ６Ａが設けられている場合は、該ＩＣタグ６Ａが接近したときに識別信号を出力する。
【００２１】
陳列棚４の内部には、収納部３の各センサ５の検知信号、及び本形態では識別部６による識別信号、が入力され、これら信号に基づいて、後述する記憶部８の案内情報を切り替えるための切替信号を出力する切替部７、この切替部７の切替信号に基づいて案内情報を読み出して表示部２に出力する記憶部８、また、本形態では、インターネット網に接続された不図示のサーバーから切替部７による切替信号に応じた案内情報を入手するオンライン部９、を備えている。
【００２２】
切替部７は、上記のとおり、各センサ５の検知信号、識別部６の識別信号が、入力されるように、また、記憶部８に切替信号が出力されるように、それぞれ配線されている。切替部７と記憶部８との配線に関しては、例えば赤外線接続、ＵＳＢ（Universal Serial Bus）接続、シリアル接続といった電気信号接続であればいずれであっても構わない。また、切替部７と記憶部８とは、該切替部７を回路基板として該記憶部８を一体としたものであっても構わない。
【００２３】
記憶部８は、例えば、装脱可能とされた又は内蔵固定の、ハードディスク、各種の記憶媒体、の一方又は両方を採り得るものであり、切替部７からの切替信号を受けて記憶された案内情報を読み出して表示部２に出力する。
【００２４】
オンライン部９は、切替部７の切替信号に基づいた案内情報を入手するために、インターネット網に接続されたサーバーと信号送受可能に接続するためのものである。なお、このオンライン部９と、記憶部８の例えばハードディスクとを接続し、オンライン部９によりサーバーから入手した案内情報を、記憶部８に記憶しておくという形態であっても構わない。
【００２５】
上記構成の本形態の案内情報表示機構１は、次のように動作する。まず、収納部３から陳列物Ｐが取り出されるまでは、例えば、収納部３に挿入されている陳列物Ｐの、概略的な、内容情報、企業情報、その他広告等といった案内情報が、予め設定された順番、割合、回数で、連続的かつ途切れることなく繰り返されて表示される。以下、このときに表示部２に表示される案内情報のことを「第１案内情報」と言うこととする。
【００２６】
ここで、陳列物Ｐが収納部３から取り出されると、その陳列物Ｐが取り出された収納部３におけるセンサ５が、取り出された旨検知し、この検知信号を切替部７に出力する。
【００２７】
切替部７は、センサ５からの検知信号が入力されると、該検知信号に対応する案内情報を読み出して、第１案内情報に優先して、検知信号を出力したセンサ５に対応した収納部３に収納された陳列物Ｐに関連付けられた案内情報を、表示部２にて表示する旨の切替信号を出力する。以下、このときに読み出された情報のことを「第２案内情報」と言うこととする。
【００２８】
この第２案内情報は、例えば第１案内情報における当該陳列物Ｐに関連した部分が表示されるものであってもよいし、第１案内情報中のものとは異なる、特に陳列物Ｐに関したものであっても構わない。また、第２案内情報において、識別部６にＩＣタグ６Ａを近づければ、より詳しい情報が表示される旨の内容を含めた情報を提供すればより効果的である。すなわち、「第２案内情報」とは、収納部３から陳列物Ｐが取り出されたというタイミングで表示部２に表示される案内情報を意味する。なお、後述する第３案内情報も同様の意味とする。
【００２９】
切替部７の切替信号に基づいて、記憶部８に第２案内情報が記憶されている場合は該記憶部８が切替信号に基づいた第２案内情報を読み出して表示部２で表示し、また、本形態では、例えば記憶部８に最新の第２案内情報が存在しないといったような場合には、オンライン部９を介してサーバーから最新の第２案内情報を入手して案内情報を表示部２に表示する。
【００３０】
そして、その陳列物Ｐに応じた第２案内情報を表示部２で表示し終えた後、再度予め設定された順番などで第１案内情報を表示する。ここで、第２案内情報を表示し終える前に、別の陳列物Ｐが収納部３から取り出された場合は、取り出される直前の第２案内情報がキャンセルされて、常に収納部３から取り出された最終の陳列物Ｐの第２案内情報が表示される。
【００３１】
一方、第２案内情報を表示し終える前又は表示し終えた後に、陳列物Ｐに設けられた、識別部６で読み取り可能な識別情報、本形態の場合、ＩＣタグ６Ａを、識別部６に近づけた場合には、識別部６がその旨識別して、切替部７に識別信号を出力する。
【００３２】
切替部７は、識別部６からの識別信号が入力されると、該識別信号に対応するその陳列物Ｐに関連付けられた、ＩＣタグ６Ａにより識別される案内情報を読み出して、第１、第２案内情報に優先してその識別信号に対応した案内情報を表示部２にて表示する旨の切替信号を出力する。以下、このときに読み出された情報のことを「第３案内情報」と言うこととする。
【００３３】
切替部７の切替信号に基づいて、記憶部８に第３案内情報が記憶されている場合は該記憶部８が切替信号に基づいた第３案内情報を読み出して表示部２で表示し、本形態では、例えば記憶部８に最新の第３案内情報が存在しないといった場合には、オンライン部９を介してサーバーから最新の第３案内情報を入手して案内情報を表示部２に表示する。
【００３４】
そして、その陳列物ＰのＩＣタグ６Ａに応じた第３案内情報を表示部２で表示し終えた後、第２案内情報を表示し終えてなければ続きに戻り、第２案内情報を表示し終えていれば第１案内情報を表示する。ここで、第３案内情報を表示し終える前に、別の陳列物Ｐが収納部３から取り出されると、第３案内情報がキャンセルされて、常に収納部３から取り出された最終の陳列物Ｐの第２案内情報が表示される。
【００３５】
ここで、上記した、センサ５に、動体センサを採用した理由を説明する。動体センサではない他のスイッチや検知手段を採用した場合、機械式（接点式）の例えばボタンやスイッチでは、陳列物Ｐを収納部３から取り出す動作とは別にスイッチをオンにする動作が余分に必要となる。また、他の検知手段、例えば陳列物Ｐが取り出されたときの変動重量を検知するセンサでは、例えば本形態で例示するパンフレット等のような紙製の陳列物Ｐにおいては湿度で加減する重量、収納部３に堆積するごみなどの重量、が誤差要因となって正しく機能しない場合がある。
【００３６】
そして、例えば、収納部３の内部にセンサ５を設けると、例えば本形態で例示するパンフレット等のように束になった陳列物Ｐの中央から取り出した場合に正しく検知できない可能性があるから、平時に陳列物Ｐが存在しない状態でオフとされ、この状態から陳列物Ｐが存在するとオンになる動体センサを、「取り出し」という動作で正しく機能させることができる収納部３の開口近傍に設けているのである。
【００３７】
よって、本形態の案内情報表示機構１は、最も好適な陳列物Ｐとしては例えばパンフレット、リーフレット、カタログ、クーポンなど頒布用の印刷物であるが、例えば陳列状態から手にとって実物を確認したりする商品及び商品見本、具体的には携帯電話や化粧品、音楽ＣＤ、ＤＶＤといったものを陳列物Ｐとしても構わない。また、本発明の案内情報表示機構１は、それら陳列物Ｐを陳列した既設の陳列棚４において構成することも可能である。
【００３８】
既設の陳列棚４において構成する場合、上記本形態の案内情報表示機構１では、表示部２が陳列棚４と一体とされ、かつセンサ５、識別部６、切替部７、記憶部８、オンライン部９が、陳列棚４に設けていたが、収納部３を有した既設の陳列棚４に対して、少なくとも前記のうち表示部２、センサ５、切替部７、記憶部８又はオンライン部９を別体で設けることで実施可能である。
【００３９】
また、既設の陳列棚４に別体で各構成を設けた場合、陳列物Ｐの陳列棚４のそれぞれに対応して、切替部７と記憶部８又はオンライン部９とを設ける必要はなく、例えば複数の陳列棚４に対して、各センサ５（及び各識別部６）の出力を集中的に受信する切替部７と、同じく第１及び第２案内情報（及び第３案内情報）を集中的に記憶した記憶部８又はオンライン部９と、を１つ設けることでも実現可能である。この場合、切替部７が出力する切替信号に、どの陳列棚４の表示部２における表示を切り替えるか、といった信号内容を、センサ５の検知信号（及び識別部６の識別信号）の出力元から特定して、付加するようにしておけばよい。
【００４０】
また、表示部２は、各陳列棚４に１つ以上設けてもよい。例えば２つの表示部２を設けた場合の具体例としては、陳列物Ｐが収納部３から取り出されると一方及び他方の表示部２において表示されていた第１案内情報から第２案内情報へ切り替えられ、そして陳列棚４に識別部６を、当該陳列物ＰにＩＣタグ６Ａをそれぞれ有している場合であって、該ＩＣタグ６Ａを識別部６に接近させると一方の表示部２では第２案内情報が継続的に表示され、他方の表示部２では第２案内情報から第３案内情報に切り替えられる、といった態様などが考えられる。
【００４１】
また、本形態では、陳列棚４に識別部６を、陳列物ＰにＩＣタグ６Ａを、それぞれ有していることから第３案内情報を示したが、各陳列物Ｐ毎に必ず第２、第３案内情報が必要となるわけではない。つまり、ある陳列物Ｐに対応する案内情報として第１案内情報のみを有している場合は、当該陳列物Ｐが取り出されたときに、その順番に優先して当該陳列物Ｐに対応する第１案内情報に切り替えるようにすればよい。
【００４２】
また、ＩＣタグ６Ａは、１つの陳列物Ｐに１つに限定する必要はなく、例えば陳列物Ｐ中の複数のＩＣタグ６Ａが、誤識別が生じない程度に離してレイアウトされている場合、あるいは、識別精度の高い識別部６が採用された場合、であれば、複数存在していても構わない。その場合は、上記第３案内情報がそれらＩＣタグ６Ａ毎に用意しておけばよい。
【００４３】
さらに、オンライン部９を備えている場合には、該オンライン部９が接続するサーバーに、（第１〜第３）案内情報の出力機能だけでなく、管理機能及び閲覧機能を持たせるようにしておいてもよい。その場合、前記サーバーは、上記同様に切替部７からオンライン部９へ出力された切替信号に付加された、センサ５と上記の場合では識別部６の出力元の情報をカウントして、陳列物Ｐの取り出し頻度などを、例えば回数／１ｈといったように記録し蓄積するようにしてもよい。
【００４４】
そして、前記サーバーにより蓄積した情報を、同サーバーの閲覧機能により当該サーバーに接続した、例えば所定のパスワードが与えられた予め決められた閲覧者に対してだけ、管理された陳列物Ｐに関する上記蓄積情報を閲覧させるようにすれば、陳列物Ｐの販売元などに対しても、適切な情報を提供することができるようになる。
【産業上の利用可能性】
【００４５】
通常の店舗などで利用して好適であるが、特に、取り扱い商品が多数存在するが、説明する人員が少ないといった状況の店舗において利用すれば、説明する人員の不足が解消されてさらに好適である。
【図面の簡単な説明】
【００４６】
【図１】本発明の案内情報表示機構の全体構成を示す図である。
【図２】本発明の案内情報表示機構の内部構成を示す図である。
【符号の説明】
【００４７】
１  案内情報表示機構
２  表示部
３  収納部
４  陳列棚
５  センサ
６  識別部
６Ａ  ＩＣタグ
７  切替部
８  記憶部
９  オンライン部
【図１】
2009128447.tif 000003
【図２】
2009128447.tif 000004